(57)【特許請求の範囲】
【請求項１】
遊技機本体と、その前面側に当該遊技機本体に対して開閉される第１開閉部材と、前記遊技機本体又は第１開閉部材に対して開閉される第２開閉部材とを備え、前記各開閉部材の施錠を行う施錠装置を設けた遊技機において、
前記施錠装置は、
基枠と、
その基枠に設けられ、外部操作手段の一方への操作に連動して一方向へ移動し、外部操作手段の他方への操作に連動して他方向へ移動する１つの移動部材と、
前記基枠に設けられ、前記第１開閉部材の施錠位置と解錠位置とに移動可能でありかつ施錠方向へ付勢された少なくとも３つの第１施錠部材と、
前記基枠に設けられ、前記第２開閉部材の施錠位置と解錠位置とに移動可能でありかつ施錠方向へ付勢された複数の第２施錠部材と
を備え、
前記移動部材の前記一方向への移動に連動して前記各第１施錠部材が解錠位置へ移動し、前記移動部材が前記他方向へ移動する場合には前記各第１施錠部材はそれぞれ独立して前記付勢力によって施錠位置に保持されるように構成し、
前記移動部材の前記他方向への移動に連動して前記各第２施錠部材が解錠位置へ移動し、前記移動部材が前記一方向へ移動する場合には前記各第２施錠部材はそれぞれ独立して前記付勢力によって施錠位置に保持されるように構成したことを特徴とする遊技機。
【請求項２】
前記各開閉部材は一側を開閉中心とし、その他側に前記施錠装置を設け、該他側に沿って延びるように前記移動部材を長尺状に形成し、該移動部材をその長手方向に沿って移動するように構成した請求項１に記載の遊技機。
【発明の詳細な説明】
【０００１】
【発明の属する技術分野】
本発明は、開閉部材及びその開閉部材を施錠するための施錠装置を備えた遊技機に関する。
【０００２】
【従来の技術】
一般にパチンコ機等の遊技機では、内部を日常的に保守点検する必要から、遊技機の前面には開閉部材としての前面枠（前面扉ともいう）が開閉可能に設けられ、店員以外の者が無断で前面枠を開放できないようにするために、遊技機には施錠装置が設けられている。かかる施錠装置としては、専用の鍵を用いて操作されるシリンダ錠と、遊技機に設けられた上下一対の被係止部に対しそれぞれ係脱可能に設けられた上側及び下側の鉤部材と、専用鍵によるシリンダ錠の解錠操作に応じて前記上側及び下側鉤部材を作動させる作動機構とを備えたものが知られている。この施錠装置によれば、施錠状態では上下両鉤部材がそれぞれ対応する被係止部に係合することで前面枠が開放不能となる。他方、専用鍵でシリンダ錠を解錠操作することで、作動機構を介して上下両鉤部材が被係止部から同時に離脱し、前面枠が開放可能となる。
【０００３】
【発明が解決しようとする課題】
しかしながら、従来の施錠装置付き遊技機には、遊技機本体と前面枠との間に僅かに生じた隙間から針金等の線材を差し込み、その線材で上側又は下側の鉤部材に直接力を加えて両鉤部材を被係止部から離脱させるという不正行為を受け易いという欠点があった。このため、専用鍵でシリンダ錠を解錠操作せずとも、前面枠の施錠状態が不正に解除され、前面枠が容易に不正開放されてしまうという問題があった。
【０００４】
本発明の目的は、外部から不正な操作を受けても開閉部材の施錠状態を容易に解除することができず、不正行為に対する防御性能（即ち防犯性能）に優れた施錠装置を備えた遊技機を提供することにある。
【０００５】
【課題を解決するための手段】
上記の目的を達成するために、本発明では、遊技機本体と、その前面側に当該遊技機本体に対して開閉される第１開閉部材と、前記遊技機本体又は第１開閉部材に対して開閉される第２開閉部材とを備え、前記各開閉部材の施錠を行う施錠装置を設けた遊技機において、
前記施錠装置は、
基枠と、
その基枠に設けられ、外部操作手段の一方への操作に連動して一方向へ移動し、外部操作手段の他方への操作に連動して他方向へ移動する１つの移動部材と、
前記基枠に設けられ、前記第１開閉部材の施錠位置と解錠位置とに移動可能でありかつ施錠方向へ付勢された少なくとも３つの第１施錠部材と、
前記基枠に設けられ、前記第２開閉部材の施錠位置と解錠位置とに移動可能でありかつ施錠方向へ付勢された複数の第２施錠部材と
を備え、
前記移動部材の前記一方向への移動に連動して前記各第１施錠部材が解錠位置へ移動し、前記移動部材が前記他方向へ移動する場合には前記各第１施錠部材はそれぞれ独立して前記付勢力によって施錠位置に保持されるように構成し、
前記移動部材の前記他方向への移動に連動して前記各第２施錠部材が解錠位置へ移動し、前記移動部材が前記一方向へ移動する場合には前記各第２施錠部材はそれぞれ独立して前記付勢力によって施錠位置に保持されるように構成し、
さらに、前記各開閉部材の少なくとも一方の解錠時に当該解錠される開閉部材を開放方向へ押し出す押し出し手段を前記施錠装置に設けたことを特徴とする。
【０００６】
この場合、前記各開閉部材は一側を開閉中心とし、その他側に前記施錠装置を設け、該他側に沿って延びるように前記移動部材を長尺状に形成し、該移動部材をその長手方向に沿って移動するように構成することが好ましい。
【０００７】
【発明の実施の形態】
はじめに、本実施の形態から抽出され得る発明群を手段ｎ（ｎ＝１，２，３…）として区分して示し、それらを必要に応じて効果等を示しつつ説明する。なお以下においては、理解の容易のため、本実施の形態において対応する構成を括弧書き等で適宜示すが、この括弧書き等で示した具体的構成に限定されるものではない。
【０００８】
手段１．開閉部材及びその開閉部材を施錠する施錠装置を備えた遊技機において、前記施錠装置は、鍵を用いて操作される錠と、遊技機に設けられた被係止部に対し係脱可能に設けることで、それぞれが対応する被係止部に係合する施錠位置と、対応する被係止部から離脱する解錠位置との間を配置切替え可能な少なくとも３つの鉤部材と、前記錠から前記各鉤部材への動作伝達に関与する作動機構であって、前記鍵による錠の解錠操作時には錠の動作を各鉤部材に伝達して前記少なくとも３つの鉤部材を同時に施錠位置から解錠位置に切替えるが、外力によって各鉤部材が個々に施錠位置から解錠位置に切替えられてもその鉤部材の動作を他の鉤部材に伝達しないという一方向的な動作伝達を可能とするように構成された作動機構とを備えることを特徴とする遊技機。
【０００９】
手段１の遊技機によれば、鍵による錠の解錠操作時（即ち正規解錠時）には、一方向的な動作伝達可能に構成された作動機構を介して錠の動作が各鉤部材に伝達され、全ての鉤部材が同時に施錠位置から解錠位置に切替えられる。すると、全ての鉤部材がそれぞれ対応する被係止部から同時に離脱し、開閉部材の施錠が解除されて開閉部材が開放可能となる。これに対し、不正な意図を持った者が例えば線材等を外から遊技機内に挿入し、この線材等を介して鉤部材に直接外力を及ぼして鉤部材を施錠位置から解錠位置に強制切替えするという不正解錠を試みる場合がある。しかし、かかる不正解錠を試みても、前記作動機構は、外力によって各鉤部材が個々に施錠位置から解錠位置に切替えられてもその鉤部材の動作を他の鉤部材に伝達しない構造のため、一つの鉤部材を解錠位置に切替えても他の鉤部材はそれに連動して解錠位置に切替わることはない。つまり、不正解錠を成功させるためには、全ての鉤部材に対して同時に外力を及ぼしこれらを一度に解錠位置に切替える必要がある。ところが、鉤部材は少なくとも３つ（即ち３つ以上）設けられており、人間一人には手が二本しかないため、一人で３つ以上の線材等を操作して３つ以上ある鉤部材に対し同時に外力を及ぼすことはとても無理である。従って、この遊技機によれば、外部から不正な操作を受けても開閉部材の施錠状態を容易に解除することができず、不正行為に対する防御性能（即ち防犯性能）に優れている。
【００１０】
手段２．前記少なくとも３つの鉤部材は、そのうちのいくつかの鉤部材については施錠位置から解錠位置に向けて正方向に配置切替えされることで対応する被係止部から離脱し、残りの鉤部材については施錠位置から解錠位置に向けて前記正方向とは逆向きの逆方向に配置切替えされることで対応する被係止部から離脱するように設けられていることを特徴とする手段１に記載の遊技機。
【００１１】
手段２によれば、３つ以上ある鉤部材は、施錠位置から解錠位置への解錠切替え方向が特定の一方向に揃っておらず、いくつかの鉤部材については解錠切替え方向が正方向に、残りの鉤部材については解錠切替え方向が逆方向にという具合に、解錠切替え方向が正逆入り乱れた状況にある。このため、不正な意図を持った者が３つ以上ある鉤部材について個々に施錠位置から解錠位置に線材等で切替えようとしても、それぞれの鉤部材について適正な解錠切替え方向を把握することは容易でない。少なくとも、個々の鉤部材について適正な解錠切替え方向を把握するまでには相当の試行錯誤が必要で、長い時間と手間がかかるはずである。とすれば、不正な意図を持った者が短時間のうちに当該施錠装置の施錠状態を解除することは極めて困難であり、不正解錠を断念させることもできる。故にこの構成によれば、不正行為に対する防御性能が更に高められる。
【００１２】
手段３．前記少なくとも３つの鉤部材は、そのうちのいくつかの鉤部材については施錠位置と解錠位置との間をスライド可能に設けられると共に、残りの鉤部材については施錠位置と解錠位置との間を支軸を中心として回動可能に設けられており、前記作動機構は、前記少なくとも３つの鉤部材と作動連結されると共に前記スライド可能な鉤部材のスライド方向と同方向にスライド可能な作動部材を具備しており、前記鍵による錠の解錠操作に基づく当該作動部材の正方向スライドに伴い、前記スライド可能な鉤部材が施錠位置から解錠位置に向けて正方向に配置切替えされることで対応する被係止部から離脱すると共に、前記回動可能な鉤部材については施錠位置から解錠位置に向けて前記正方向とは逆向きの逆方向に配置切替えされることで対応する被係止部から離脱することを特徴とする手段１又は２に記載の遊技機。
【００１３】
手段３によれば、いくつかの鉤部材をスライド可能とすると共に残りの鉤部材を支軸を中心として回動可能とし、且つ、作動機構を構成する作動部材を前記スライド可能な鉤部材のスライド方向と同方向にスライド可能とすることにより、鍵による錠の解錠操作に基づく作動部材の正方向スライドに伴って、いくつかの鉤部材が正方向にスライドする一方で、残りの鉤部材が逆方向に回動するというリンク構造が、錠、作動機構（作動部材）及び全ての鉤部材の間に構築される。そして、この構成によれば、３つ以上ある鉤部材は、施錠位置から解錠位置への解錠切替え方向が特定の一方向に揃っておらず、いくつかの鉤部材については解錠切替え方向が正方向に、残りの鉤部材については解錠切替え方向が逆方向にという具合に、解錠切替え方向が正逆入り乱れた状況にある。このため、不正な意図を持った者が３つ以上ある鉤部材について個々に施錠位置から解錠位置に線材等で切替えようとしても、それぞれの鉤部材について適正な解錠切替え方向を把握することは容易でない。少なくとも、個々の鉤部材について適正な解錠切替え方向を把握するまでには相当の試行錯誤が必要で、長い時間と手間がかかるはずである。とすれば、不正な意図を持った者が短時間のうちに当該施錠装置の施錠状態を解除することは極めて困難であり、不正解錠を断念させることもできる。故にこの構成によれば、不正行為に対する防御性能が更に高められる。
【００１４】
手段４．前記回動可能な鉤部材は、その先端部側において被係止部と係合すると共にその基端部側において前記作動部材と作動連結され、前記支軸は当該鉤部材の先端部と基端部との間に設定されていることを特徴とする手段３に記載の遊技機。
【００１５】
手段４によれば、作動部材の正方向スライド時、回動可能な鉤部材の基端部は作動部材に追従して正方向へ変位するが、当該回動可能な鉤部材の先端部は、支軸（回動中心軸）が当該鉤部材の先端部と基端部との間に設定されていることから、基端部の変位方向（正方向）とは逆方向に変位する。この構成によれば、作動部材の正方向スライドに伴う施錠位置から解錠位置への配置切替えが逆方向となる鉤部材を、比較的簡素な機械構造で具体化することができる。
【００１６】
手段５．前記作動部材には、各鉤部材にそれぞれ対応させて少なくとも三つの逃げ溝を形成し、各逃げ溝内には、それぞれ対応する鉤部材に突設されたピン又は係合凸部を係入したことを特徴とする手段３又は４に記載の遊技機。
【００１７】
手段５によれば、作動機構の主要な構成要素である作動部材に少なくとも三つの逃げ溝を形成すると共に、各逃げ溝内に、それぞれ対応する鉤部材に突設されたピン又は係合凸部を係入することにより、前述のような一方向的な動作伝達を可能とする作動機構が比較的簡素な機械構造で具体化される。即ち、前記鍵による錠の解錠操作に基づく作動部材の正方向スライド時には、当該作動部材により錠の動作を各鉤部材に伝達して前記少なくとも３つの鉤部材を同時に施錠位置から解錠位置に切替えるが、外力によって鉤部材が個々に施錠位置から解錠位置に切替えられても、その鉤部材に対応する逃げ溝内をピン又は係合凸部が遊走するだけでその鉤部材の動作を当該作動部材を介して錠及び他の鉤部材に伝達しないという一方向的な動作伝達が実現される。
【００１８】
手段６．前記各鉤部材には、その鉤部材を解錠位置から施錠位置に向けて付勢するための付勢手段が配設されていることを特徴とする手段１〜５のいずれか一項に記載の遊技機。
【００１９】
手段６によれば、３つ以上ある鉤部材の各々が、それぞれ対応する付勢手段によって解錠位置から施錠位置に向けて付勢されている。このため、不正な意図を持った者が線材等を用いて鉤部材を個々に不正解錠しようとする場合でも、各付勢手段の付勢力に抗し得るだけの大きさの外力を各鉤部材に及ぼして施錠位置から解錠位置に切替える必要がある。つまり、開閉部材の不正解錠を成功させるためには、各鉤部材に配設された付勢手段の付勢力に抗して全ての鉤部材を同時に解錠位置に切替える必要がある。遊技機の外からこのように複雑で力のいる不正な操作を加えることは極めて困難である。それ故この構成によれば、不正行為に対する防御性能が飛躍的に高められる。
【００２０】
尚、手段６において、「前記付勢手段がバネであること」は好ましく、「前記付勢手段がコイルバネであること」は更に好ましい。又、手段１〜６において、「前記錠がシリンダ錠であること」は好ましい。
【００２１】
手段７．前記施錠装置は、上側鉤部材、下側鉤部材、並びに、前記上側及び下側鉤部材間に配設された中央鉤部材の三つの鉤部材を備えており、前記上側及び下側鉤部材は、前記作動部材の正方向スライド時に正方向に配置切替えされるスライド可能な鉤部材として構成され、前記中央鉤部材は、前記作動部材の正方向スライド時に逆方向に配置切替えされる回動可能な鉤部材として構成されていることを特徴とする手段３，４，５又は６に記載の遊技機。
【００２２】
手段７によれば、鍵による錠の解錠操作に基づき作動部材が正方向にスライドすることにより、上側及び下側鉤部材が正方向スライドして施錠位置から解錠位置に配置切替えされると共に、中央鉤部材が逆方向回動して施錠位置から解錠位置に配置切替えされる。不正な意図を持った者が開閉部材の不正解錠を達成するためには、線材等を用いて上中下三つの鉤部材に対して外力を及ぼし、これらの三つの鉤部材を同時に正方向スライド及び逆方向回動させて解錠位置に切替える必要があるが、遊技機の外から、このように複雑な不正操作を加えることは極めて困難である。それ故この構成によれば、不正行為に対する防御性能が高められる。
【００２３】
手段８．手段１から手段７のいずれかにおいて、前記遊技機はパチンコ機であること。中でも、パチンコ機の基本構成としては、操作ハンドルを備えており、そのハンドル操作に応じて遊技球を所定の遊技領域に発射させ、遊技球が遊技領域内の所定の位置に配置された作動口に入賞することを必要条件として表示装置における図柄の変動表示が開始すること、又、特別遊技状態発生中には遊技領域内の所定の位置に配置された入賞口が所定の態様で開放されて遊技球を入賞可能として、その入賞個数に応じた有価価値（景品球のみならず、磁気カードへの書込み等も含む）が付与されること等が挙げられる。上記パチンコ機には少なくとも、多数個の遊技球を取得できる遊技者に有利な状態である特別遊技状態（大当り状態）と、遊技球を消費する遊技者に不利な状態である通常遊技状態の二種類の遊技状態が存在する。
【００２４】
手段９．手段１から手段７のいずれかにおいて、前記遊技機はスロットマシンであること。中でも、スロットマシンの基本構成としては、「遊技状態に応じてその遊技状態を識別させるための複数の図柄からなる図柄列を変動表示した後に図柄を確定表示する表示装置を備え、始動用操作手段（例えば操作レバー）の操作に起因して図柄の変動が開始され、停止用操作手段（例えばストップボタン）の操作に起因して或いは所定時間経過することにより図柄の変動が停止され、その停止時の確定図柄が特定図柄であることを必要条件として遊技者に有利な特別遊技状態を発生させる特別遊技状態発生手段とを備えた遊技機」となる。この場合、遊技媒体は、コイン、メダル等が代表例として挙げられる。上記遊技機には少なくとも、多数個の遊技媒体を取得できる遊技者に有利な状態である特別遊技状態（大当り状態）と、遊技媒体を消費する遊技者に不利な状態である通常遊技状態の二種類の遊技状態が存在する。
【００２５】
手段１０．手段１から手段７のいずれかにおいて、前記遊技機はパチンコ機とスロットマシンとを融合させた遊技機であること。中でも、前記融合させた遊技機の基本構成としては、「遊技状態に応じてその遊技状態を識別させるための複数の識別情報からなる図柄列を変動表示した後に図柄を確定表示する表示装置を備え、始動用操作手段（例えば操作レバー）の操作に起因して図柄の変動が開始され、停止用操作手段（例えばストップボタン）の操作に起因して或いは所定時間経過することにより図柄の変動が停止され、その停止時の確定図柄が特定図柄であることを必要条件として遊技者に有利な特別遊技状態を発生させる特別遊技状態発生手段とを備え、遊技媒体として遊技球を使用するとともに、前記識別情報の変動開始に際しては所定数の遊技球を必要とし、特別遊技状態の発生に際しては多くの遊技球が払い出されるよう構成されてなる遊技機」となる。上記遊技機には少なくとも、多数個の遊技球を取得できる遊技者に有利な状態である特別遊技状態（大当り状態）と、遊技球を消費する遊技者に不利な状態である通常遊技状態の二種類の遊技状態が存在する。
【００２６】
以下に、本発明を遊技機としてのパチンコ機に具体化した一実施形態を図面を参照して説明する。図１及び図２に示すようにパチンコ機１０は、外枠１１と、前面枠１２（内枠ともいう）と、ガラス板が嵌め込まれたガラス枠１３と、遊技盤１４とを備えている。遊技盤１４は前面枠１２の内側（裏側）に組み付けられており、前面枠１２と遊技盤１４とが一体化して前面扉を構成している。前面枠１２は外枠１１の左側に設けられた上下一対のヒンジ部１５，１５を介して当該外枠１１に対し回動可能に取り付けられ、外枠１１に対して開閉可能となっている。ガラス枠１３も上下一対の軸支部１６，１６により前面枠１２に対して開閉可能に支持されている。本実施形態では前面枠１２が開閉部材に相当する。
【００２７】
なお、前面枠１２及び遊技盤１４によって構成されるパチンコ機の正面は、その略上半部を占めるガラス枠１３で区画された遊技盤領域と、略下半部を占めると共に前面枠１２に造作された操作領域とに区分される。遊技盤領域には、表示装置、大小様々の入賞口、風車、ランプ、スピーカ、その他の遊技性を高めるための器具や装置（いずれも図示略）が設けられている。他方、操作領域には、弾発のための発射操作ハンドル１７、打球供給皿としての上受け皿１８、余剰玉受皿としての下受け皿１９、その他の器具や装置が設けられている。
【００２８】
前面枠１２の裏面の右側部には、縦長の施錠装置２０が設けられている。この施錠装置２０は、前面枠１２が閉じられたときに前面枠１２を外枠１１に係止して開放不能とするための前面枠用施解錠機構と、ガラス枠１３が閉じられたときにガラス枠１３を前面枠１２に係止して開放不能とするためのガラス枠用施解錠機構とを具備した前面枠及びガラス枠両用の施錠装置である。尚、外枠１１の右側内部には、前面枠１２の施錠に関与する被係止部として、三つの受け金具（上側受け金具１１ａ、下側受け金具１１ｂ及び中央受け金具１１ｃ）が固定されている。同様に前面枠１２及び／又はガラス枠１３には、ガラス枠１３の施錠に関与する被係止部又は被係止機構（図示略）が設けられている。
【００２９】
図３は横倒し状態の施錠装置２０を示し、図４及び図５はその施錠装置２０の上端部近傍を拡大して示す。施錠装置２０は、パチンコ機への取付時に上下方向（図３〜図５では左右方向）に延びる枠体２１を備えている。この枠体２１は、長尺な金属板をほぼ直角に曲げてアングル状（横断面Ｌ字状）に板金加工したものであり、互いに略直交する第１取付け板２２と第２取付け板２３とを有している。この枠体の第１取付け板２２に対しシリンダ錠５０を取付けると共に、第２取付け板２３に対し作動部材３０や三つの鉤部材４１Ａ，４１Ｂ，４１Ｃ等を取り付けることで施錠装置２０が構成されている。
【００３０】
作動部材３０は、枠体２１の長手方向に沿って延びる長尺な板状部材であり、第２取付け板２３に沿ってスライド可能に設けられている。作動部材３０の第２取付け板２３に沿ったスライドは、専用の鍵Ｋによるシリンダ錠５０の解錠操作に基づくものであり、この点については後ほど詳述する。
【００３１】
作動部材３０の両端部付近には、上側受け金具１１ａと係合可能な上側（図３では右側）の鉤部材４１Ａと、下側受け金具１１ｂと係合可能な下側（図３では左側）の鉤部材４１Ｂとが、枠体の第２取付け板２３に沿ってスライド可能に設けられている。上側の鉤部材４１Ａに着目して更に詳しく説明すると、図５に示すように、上側鉤部材４１Ａの一側面にはガイドピン４２が突設され、そのガイドピン４２は第２取付け板２３に形成されたガイド溝２４内に係入している。ガイド溝２４の幅（高さ）はガイドピン４２の軸部の径にほぼ等しいが、ガイドピン４２の頭部は軸部よりも大径化されており、その大径頭部が第２取付け板２３の一側面に接触摺動する構成となっている。このため、上側鉤部材４１Ａは、第２取付け板２３に対し平行状態を保ちながら前記ガイド溝２４の範囲内でスライド可能となっている。
【００３２】
図４及び図５に示すように、上側鉤部材４１Ａの一側面に突設されたフック部４３と、枠体の第１取付け板２２に突設されたフック部２５との間には、付勢手段たるコイルバネ４４が架設されている。このコイルバネ４４は、上側鉤部材４１Ａ及びガイドピン４２を枠体２１の上端に向けて常時付勢するが、ガイドピン４２がガイド溝２４の上端部（図５では右端部）に当接することで上側鉤部材４１Ａのそれ以上の上動が規制される。これにより、上側鉤部材４１Ａが上側受け金具１１ａと係合する施錠位置（図４の実線位置）に位置決めされる。
【００３３】
また、第２取付け板２３と上側鉤部材４１Ａとの間には、作動部材３０の上端部が進入配置されている。その作動部材３０の上端部には、ガイドピン４２の軸部を収容する逃げ溝３１が形成されており、通常時（上側鉤部材４１Ａが施錠位置にあるとき）には、ガイドピン４２は逃げ溝３１の上端部（図５では右端部）に位置する。作動部材３０を図５の待機位置から所定量下動（図５では左移動）させた場合（図６（Ｂ）参照）には、ガイドピン４２と逃げ溝３１の上端部との係合関係に基づき、コイルバネ４４の弾性に抗して作動部材３０と共に上側鉤部材４１Ａが下向きにスライドする。それに伴い、上側鉤部材４１Ａは上側受け金具１１ａから離脱し、施錠位置（図４の実線位置）から解錠位置（図４の仮想線位置）に切替え配置される。その一方で、作動部材３０の長手方向に延びる逃げ溝３１を形成したことにより、施錠位置にある上側鉤部材４１Ａに対し直接外力（例えば針金を用いた不正な押圧力）を加えて上側鉤部材４１Ａを解錠方向に強制スライドさせても、ガイドピン４２がガイド溝２４及び逃げ溝３１内を遊走するばかりであり、又、枠体のガイド溝２４の下端部（図５では左端部）によりそれ以上の下動を規制されて作動部材３０を下動させるには到らない。
【００３４】
作動部材３０を図５の待機位置から所定量上動（図５では右移動）させた場合（図６（Ａ）参照）も、逃げ溝３１の逃し効果により、ガイドピン４２が作動部材３０の上動を阻害することはなく、又、作動部材３０の上動によって上側鉤部材４１Ａと上側受け金具１１ａとの係合関係が解除されることもない。なお、下側鉤部材４１Ｂ及びその周辺の構造も、上側鉤部材４１Ａ及びその周辺とほぼ同様の構造となっている。
【００３５】
図３及び図７に示すように、枠体２１の長手方向中央部には、枠体の第２取付け板２３の一部である平板状の支持部２３ａが突出形成されている。この支持部２３ａには、中央受け金具１１ｃと係合可能な中央鉤部材４１Ｃが支軸２８を介して回動可能に支持されている。支軸２８は、中央鉤部材４１Ｃの先端部（図７では上端部）と基端部（図７では下端部）との間に設定されている。図７（Ａ）及び図８に示すように、中央鉤部材４１Ｃは、その先端部側において中央受け金具１１ｃと係合可能となっている。また、中央鉤部材４１Ｃの基端部の一側面にはガイドピン４５が突設され、そのガイドピン４５は作動部材３０に形成された逃げ溝３６内に係入している。ガイドピン４５の軸部の径は逃げ溝３６の幅（高さ）よりも小さいが、ガイドピン４５の頭部の径は逃げ溝３６の幅よりも大きく設定されている。このガイドピン頭部の存在により、ガイドピン４５が逃げ溝３６内から離脱不能となり、作動部材３０と中央鉤部材４１Ｃとの作動連結が確実となっている。
【００３６】
また、支軸２８の上方において中央鉤部材４１Ｃの一側面に突設されたフック部４６と、枠体の支持部２３ａに突設されたフック部２９との間には、付勢手段たるコイルバネ４７が架設されている。このコイルバネ４７は、中央鉤部材４１Ｃの先端部（図７では上端部）を反時計回りに回動させる方向に中央鉤部材４１Ｃを常時付勢するが、ガイドピン４５が逃げ溝３６の上端部（図７では右端部）に当接することで中央鉤部材４１Ｃのそれ以上の回動が規制される。このコイルバネ４７による付勢作用及びガイドピン４５による回動規制作用により、図７（Ａ）に示すように、中央鉤部材４１Ｃは中央受け金具１１ｃと係合する施錠位置に位置決めされる。尚、コイルバネ４７のバネ力は、中央鉤部材４１Ｃの位置決めに役立つ程度の小さなものであり、コイルバネ４７のバネ力に基づいてガイドピン４５が作動部材３０を強制上動させることはない。
【００３７】
通常時（即ち中央鉤部材４１Ｃが施錠位置にあって中央受け金具１１ｃに係合する施錠時）には、ガイドピン４５は逃げ溝３６の上端部（図７及び図８では右端部）に位置する。作動部材３０を待機位置から所定量下動（図７では左移動）させた場合（図７（Ｂ）参照）には、ガイドピン４５と逃げ溝３６の上端部との係合関係に基づき、コイルバネ４７の弾性に抗して中央鉤部材４１Ｃが時計回りに回動する。それに伴い、中央鉤部材４１Ｃは中央受け金具１１ｃから離脱し、図７（Ａ）の施錠位置から図７（Ｂ）の解錠位置に配置切替えされる。その一方で、作動部材３０の長手方向に延びる逃げ溝３６を形成したことにより、施錠位置にある中央鉤部材４１Ｃに対し直接外力（例えば針金を用いた不正な押圧力）を加えて中央鉤部材４１Ｃを解錠方向（時計方向）に強制回動させても、ガイドピン４５が逃げ溝３６内を遊走するばかりで、ガイドピン４５が逃げ溝３６の下端部を押圧して作動部材３０を解錠に必要なストローク以上に下動させるには到らない。
【００３８】
つまり、図７及び図８に示す中央鉤部材４１Ｃ及びその周辺構造によれば、作動部材３０が下動する場合にはそれに従って中央鉤部材４１Ｃも時計方向に回動するが、中央鉤部材４１Ｃが直接外力によって時計方向に強制回動されても作動部材３０は事実上追従しないという一方的な動作伝達構造が構築される。なお、作動部材３０を待機位置から所定量上動（図７では右移動）させた場合も、逃げ溝３６の逃がし効果により、中央鉤部材４１Ｃ及びそのガイドピン４５が作動部材３０の上動を阻害することはなく、又、作動部材３０の上動によって中央鉤部材４１Ｃと中央受け金具１１ｃとの係合関係が解除されることもない。
【００３９】
上記三つの鉤部材４１Ａ，４１Ｂ及び４１Ｃと作動部材３０との間の作動関係についてまとめると、作動部材３０が待機位置から上動する場合には、三つの鉤部材４１Ａ，４１Ｂ及び４１Ｃは作動部材３０の上動を無条件に許容すると共に作動部材３０の上動に影響されて施錠状態を解除することはない。これに対し、作動部材３０が待機位置から下動する場合には、三つの鉤部材４１Ａ，４１Ｂ及び４１Ｃは作動部材３０の動きに追従して施錠位置から解錠位置にスライド変位又は回動し、それぞれ対応する受け金具１１ａ，１１ｂ及び１１ｃとの係合関係を同時に解除する。即ち、逃げ溝３１，３６を有する作動部材３０や各逃げ溝内に係入されるガイドピン４２，４５等により、シリンダ錠５０から各鉤部材に対して一方向的な動作伝達を可能とする作動機構が構成される。
【００４０】
図３に示すように、枠体２１の略中央部及び下端部並びに作動部材３０の略中央部及び下端部には、ガラス枠１３の施錠又は解錠に関与する一対のガラス枠用係合機構３３，３３が設けられている。各ガラス枠用係合機構３３は、作動部材３０の一側面に突設されたガイドピンを係入するためのガイド溝（兼逃げ溝）が形成された摺動体３３ａと、その摺動体３３ａを下向き方向に付勢するコイルバネ３３ｂとを少なくとも具備している。ガラス枠用係合部としての摺動体３３ａは、前面枠１２及び／又はガラス枠１３に設けられたガラス枠１３を施錠又は解錠するための機構（周知ゆえ説明を省略）と、作動部材３０とを機械的に連動させるための部材であり、作動部材３０の上下動に伴う摺動体３３ａの位置変化に応じて、ガラス枠１３の施錠又は解錠の状態が切り替わる。
【００４１】
また、前記ガラス枠用係合機構３３は、作動部材３０を選択的に付勢するための選択的付勢機構としての働きも兼ねている。即ち、各ガラス枠用係合機構（選択的付勢機構）３３は、作動部材３０が下動する場合には作動部材３０に対し何の影響も及ぼさず作動部材３０の下動を無条件に許容するが、作動部材３０が上動する場合には、作動部材３０を元位置（待機位置）に復帰させる方向（図３の左方向）への付勢作用を及ぼすという働きをする。
【００４２】
なお、専用鍵Ｋでシリンダ錠５０が操作されないとき（通常時）に、作動部材３０が図３及び図５に示す待機位置に安定的に保持されるのは、作動部材３０が、主として上側及び下側鉤部材４１Ａ，４１Ｂ並びに一対のガラス枠用係合機構３３，３３に対し都合４本のガイドピンを介して係合することで、作動部材３０の待機位置が一義的に決定されることによるものである。そして、作動部材３０に外力を及ぼして作動部材３０を待機位置から上動させようとすると、一対のガラス枠用係合機構３３，３３に付属する二つのコイルバネ３３ｂが作動部材３０を元位置（待機位置）に戻そうとする。他方、作動部材３０を待機位置から下動させようとすると、上側及び下側の鉤部材４１Ａ，４１Ｂに割り当てられた二つのコイルバネ４４が作動部材３０を元位置（待機位置）に戻そうとする。
【００４３】
図４及び図５に示すように、枠体２１の上端寄り位置において枠体の第１取付け板２２には、シリンダ錠５０が設けられている。特に図４に示すように、第１取付け板２２には、シリンダ錠用の一対の取付支持部２６，２６が所定間隔を隔てて突設されている。また、シリンダ錠５０の背面側（鍵穴と反対側）には取付フランジ５１が一体化されている。この取付フランジ５１を前記一対の取付支持部２６，２６に載せてからネジ２７で各取付支持部２６に固定することにより、シリンダ錠５０が枠体２１に対して固着されている。
【００４４】
シリンダ錠５０の背面側に突出した錠軸５０ａには、カム５２が一体回動可能に取付けられている。特に図５に示すように、カム５２は、第１腕部５４及び第２腕部５５を有しており、錠軸５０ａを中心とした両腕部５４，５５間の角度は約８０度に設定されている。他方、作動部材３０には、カムの第１腕部５４と係合可能な第１係合溝３４及びカムの第２腕部５５と係合可能な第２係合溝３５が形成されている。専用鍵Ｋによるシリンダ錠５０の操作に応じて、カム５２は、時計方向（図６（Ａ）参照）又は反時計方向（図６（Ｂ）参照）に回動する。カム５２が所定方向に所定量回動すると、第１腕部５４又は第２腕部５５がそれぞれ対応する第１係合溝３４又は第２係合溝３５に進入すると共に、進入した溝の一端部に係合して作動部材３０を特定方向に押し移動させる。
【００４５】
次に、施錠装置２０の作用等について説明する。前面枠１２及びガラス枠１３が完全に閉じられると共にシリンダ錠５０の鍵穴に対して専用鍵Ｋが差し込まれていない施錠状態においては、作動部材３０もカム５２も図５に示す待機位置に配置される。この状態では、３つの鉤部材４１Ａ，４１Ｂ及び４１Ｃがそれぞれ対応する受け金具１１ａ，１１ｂ及び１１ｃと係合して前面枠１２が開放不能になると共に、ガラス枠用係合部としての摺動体３３ａ，３３ａが施錠位置に配置されてガラス枠１３も開放不能となっている。
【００４６】
上記の施錠状態からガラス枠１３を解錠したい場合には、シリンダ錠５０の鍵穴に専用鍵Ｋを差し込み、その専用鍵Ｋをパチンコ機１０の正面（図１参照）から見て左方向（反時計方向）に回動する。すると図６（Ａ）に示すように、カム５２が時計方向に回動して、カムの第２腕部５５が作動部材の第２係合溝３５に進入すると共に第２係合溝３５の上端部（図６では右端部）に当接する。更にカム５２が時計方向に回動されるに従い、第２腕部５５によって作動部材３０が押されながら上方向（図６では右方向）に移動する。図６（Ａ）はカム５２を時計方向に約４０度回動した状態を示す。カム５２を時計方向に約４０度回動することで、作動部材３０が所定距離だけ上動し、それに伴いガラス枠用係合部としての摺動体３３ａ，３３ａも同じ距離だけ上方に変位してガラス枠１３が解錠される。ガラス枠１３が解錠された時点で鍵Ｋを操作する手の力を緩めると、作動部材３０の上動時に蓄力された両選択的付勢機構３３のコイルバネ３３ａのバネ力により、作動部材３０が元位置（待機位置）に強制復帰される。これに伴い、カム５２も待機位置付近にまで復帰回動される。
【００４７】
上記の施錠状態から前面枠１２を解錠したい場合には、シリンダ錠５０の鍵穴に専用鍵Ｋを差し込み、その専用鍵Ｋをパチンコ機１０の正面（図１参照）から見て右方向（時計方向）に回動する。すると図６（Ｂ）に示すように、カム５２が反時計方向に回動して、カムの第１腕部５４が作動部材の第１係合溝３４に進入すると共に第１係合溝３４の下端部（図６では左端部）に当接する。更にカム５２が反時計方向に回動されるに従い、第１腕部５４によって作動部材３０が押されながら下方向（図６では左方向）に移動する。作動部材３０の下動に伴い、逃げ溝３１の端部によってガイドピン４２と一緒に上側鉤部材４１Ａが押し下げられ、同じく下側鉤部材４１Ｂも押し下げられる。その結果、上側及び下側鉤部材４１Ａ，４１Ｂが施錠位置から解錠位置に向けて正方向（図６（Ｂ）では左方向）にスライドする。また図７（Ｂ）に示すように、作動部材３０の下動に伴って、逃げ溝３６の端部によってガイドピン４５と一緒に中央鉤部材４１Ｃの基端部が押し下げられ、その結果、中央鉤部材４１Ｃの先端部が支軸２８を中心として時計方向に回動する。中央鉤部材４１Ｃの先端部の回動方向は、上下両鉤部材４１Ａ，４１Ｂのスライド方向とは逆方向となる。
【００４８】
図６（Ｂ）はカム５２を反時計方向に約４０度回動した状態を示す。カム５２を反時計方向に約４０度回動することで、作動部材３０が所定距離だけ下動し、それに伴い上側及び下側鉤部材４１Ａ，４１Ｂも同じ距離だけ下方（正方向）にスライド変位して、それぞれ対応する受け金具１１ａ，１１ｂとの係合が解除される。また、作動部材３０が所定距離だけ下動することで、中央鉤部材４１Ｃの先端部も所定円弧長だけ時計方向（前記正方向とは逆向きの逆方向）に回動変位して、対応する受け金具１１ｃとの係合が解除される。このように専用鍵Ｋを用いた正規の解錠操作に基づく作動部材３０の下動により、三つの鉤部材４１Ａ，４１Ｂ及び４１Ｃが施錠位置から解錠位置へ同時に切替えられて、前面枠１２が解錠される。尚、前面枠１２が解錠された時点で鍵Ｋを操作する手の力を緩めると、作動部材３０の下動時に蓄力された上側及び下側鉤部材４１Ａ，４１Ｂのコイルバネ４４のバネ力により、作動部材３０が元位置（待機位置）に強制復帰される。これに伴い、カム５２も待機位置付近にまで復帰回動される。
【００４９】
ところで、不正な意図を持った者が、例えば針金等の線材をパチンコ機１０の隙間から内部の施錠装置２０に挿入し、この針金等を介して各鉤部材に直接外力を及ぼして鉤部材を施錠位置から解錠位置に強制的に切替えるという不正解錠を試みる場合がある。しかし、かかる不正解錠を試みても、施錠装置２０の作動機構は、外力によって各鉤部材を個々に施錠位置から解錠位置に切替えても当該鉤部材の動作をシリンダ錠５０及び他の鉤部材に伝達しない構造となっている。具体的には、針金等を用いて、コイルバネ４４のバネ力に抗して上側鉤部材４１Ａ（又は下側鉤部材４１Ｂ）を施錠位置から解錠位置に切替えても、その鉤部材に突設されたガイドピン４２は作動部材３０の逃げ溝３１内を遊走するばかりで当該鉤部材の配置切替えが他の鉤部材（中央鉤部材４１Ｃ等）の配置切替えを誘発することはない。これと同様に、針金等を用いて、コイルバネ４７のバネ力に抗して中央鉤部材４１Ｃを施錠位置から解錠位置に切替えても、その中央鉤部材４１Ｃに突設されたガイドピン４５は作動部材３０の逃げ溝３６内を遊走するばかりで当該中央鉤部材４１Ｃの配置切替えが上側及び下側鉤部材４１Ａ，４１Ｂの配置切替えを誘発することはない。このように、針金等を用いて一つの鉤部材を解錠位置に切替えても、他の鉤部材がそれに連動して解錠位置に切替わることはない。
【００５０】
つまり、不正な意図を持った者が不正解錠を成功させるためには、全３つの鉤部材４１Ａ，４１Ｂ及び４１Ｃに対して同時に外力を及ぼしこれらを一度に解錠位置に切替える必要がある。しかしながら、人間一人には手が二本しかなく、一人で３つの針金等を操作して３つの鉤部材に対し同時に外力を及ぼすことはとても無理であろう。それ故、専用鍵Ｋを用いることなく外部から不正な操作を加えて前面枠１２の解錠を試みることは極めて困難と言える。故に本実施形態のパチンコ機１０は、不正行為に対する防御性能（即ち防犯性能）に優れている。
【００５１】
また、本実施形態では、専用鍵Ｋによるシリンダ錠５０の解錠操作に基づく作動部材３０の正方向スライドに追従して、上側及び下側鉤部材４１Ａ，４１Ｂが解錠位置に向けて正方向にスライドする一方、中央鉤部材４１Ｃが解錠位置に向けて逆方向に回動することにより、前面枠１２が解錠状態となるように構成されている。即ち、上中下三つの鉤部材は、施錠位置から解錠位置への解錠切替え方向が特定の一方向に揃っておらず、上下二つの鉤部材４１Ａ，４１Ｂについては解錠切替え方向が正方向に、中央鉤部材４１Ｃについては解錠切替え方向が逆方向にという具合に、解錠切替え方向が正逆入り乱れた状況にある。このため、不正な意図を持った者が３つの鉤部材について個々に施錠位置から解錠位置に針金等で切替えようとしても、それぞれの鉤部材について適正な解錠切替え方向を把握することは容易ではない。少なくとも、各鉤部材について適正な解錠切替え方向を把握するまでには相当の試行錯誤が必要で、長い時間と手間がかかるはずである。このような理由から、不正な意図を持った者が短時間のうちに当該施錠装置２０の施錠状態を解除することは極めて困難であり、その者に不正解錠を断念させることができる。
【００５２】
更に、本実施形態では、上中下三つの鉤部材４１Ａ，４１Ｂ及び４１Ｃの各々が、それぞれ対応する付勢手段としてのコイルバネ４４，４７によって解錠位置から施錠位置に向けて常時付勢されている。このため、不正な意図を持った者が針金等を用いて鉤部材を個々に不正解錠しようとする場合でも、各コイルバネのバネ力に抗し得るだけの大きさの外力を各鉤部材に及ぼして施錠位置から解錠位置に切替える必要がある。つまり、前面枠１２の不正解錠を成功させるためには各鉤部材に配設されたコイルバネ４４，４７のバネ力に抗して全ての鉤部材４１Ａ，４１Ｂ及び４１Ｃを同時に解錠位置に切替える必要がある。しかし、各コイルバネ４４，４７のバネ力がある程度強ければ、三つの鉤部材に対応する三つのコイルバネのバネ力に抗して当該三つの鉤部材を同時に解錠位置に切替えることは至難の業であり、かかる不正解錠操作は事実上不可能と言ってよい。従って、この構成によれば、不正行為に対する防御性能が飛躍的に高められる。
【００５３】
（変更例）
上記実施形態では、前面枠１２の施錠に関与する鉤部材の数を三つとしたが、鉤部材の数を四つ以上としてもよい。また、本発明をパチンコ機以外の遊技機（例えばスロットマシンや、パチンコ機とスロットマシンとの融合機）に適用してもよい。
【００５４】
【発明の効果】
以上詳述したように本発明の遊技機によれば、外部から不正な操作を受けても開閉部材の施錠状態を容易に解除することができず、不正行為に対する防御性能（即ち防犯性能）を飛躍的に高めることができる。
【図面の簡単な説明】
【図１】遊技機としてのパチンコ機の概略正面図。
【図２】遊技機としてのパチンコ機の概略右側面図。
【図３】施錠装置（横倒し状態）の正面図。
【図４】施錠装置のシリンダ錠付近を拡大して示す部分正面図。
【図５】施錠装置のシリンダ錠付近を拡大して示す部分平面図。
【図６】施錠装置の解錠操作時の動作を示す図５相当の図であって、（Ａ）はガラス枠解錠時の部分平面図、（Ｂ）は前面枠解錠時の部分平面図。
【図７】施錠装置の中央鉤部材付近を拡大して示し、（Ａ）は施錠時の部分正面図、（Ｂ）は解錠時の部分正面図。
【図８】図７（Ａ）のＡ−Ａ線での拡大断面図。
【符号の説明】
１０…パチンコ機（遊技機）、１１ａ，１１，１１ｃ…受け金具（被係止部）、１２…前面枠（開閉部材）、２０…施錠装置、２８…支軸、３０…作動部材、３１，３６…作動部材における逃げ溝（３０，３１，３６，４２及び４５等は作動機構を構成する）、４１Ａ…上側鉤部材、４１Ｂ…下側鉤部材、４１Ｃ…中央鉤部材、４２，４５…ガイドピン（ピン又は係合凸部）、４４，４７…コイルバネ（付勢手段）、５０…シリンダ錠（錠）、Ｋ…シリンダ錠の専用鍵（鍵）。
【図１】
0004250911.tif 000002
【図２】
0004250911.tif 000003
【図３】
0004250911.tif 000004
【図４】
0004250911.tif 000005
【図５】
0004250911.tif 000006
【図６】
0004250911.tif 000007
【図７】
0004250911.tif 000008
【図８】
0004250911.tif 000009